(57)【要約】      （修正有）【課題】研削面の毛先平坦性が良好で、金属類のバリやカエシの除去および角の面取りなどの研削作業を効率的に行うことができるバリ取り機用カップブラシを提供する。【解決手段】バリ取り機に取り付けて金属類の研削加工を行うために使用するカップブラシ１０であって、研磨材を含有するモノフィラント１１を複数本束ねたブラシ束１２の両側端面が平坦化されていると共に、このブラシ束の一端側端面に熱融着による固着部１３が形成されており、このブラシ束の固着部を、接着剤１４を介して金属カップ１５中に配置固定してなる。【選択図】図１
2005254398.tif 000002
【特許請求の範囲】
【請求項１】
バリ取り機に取り付けて金属類の研削加工を行うために使用するカップブラシであって、研磨材を含有するモノフィラントを複数本束ねたブラシ束の両側端面が平坦化されていると共に、このブラシ束の一端側端面に熱融着による固着部が形成されており、このブラシ束の固着部を、接着剤を介して金属カップ中に配置固定してなることを特徴とするバリ取り機用カップブラシ。
【請求項２】
前記ブラシ束の非固着部側端面におけるモノフィラントの高低差が１ｍｍ以下であることを特徴とする請求項１に記載のバリ取り機用カップブラシ。
【請求項３】
前記ブラシ束の非固着部側端面におけるモノフィラント毛先が面取りされていることを特徴とする請求項１または２記載のバリ取り機用カップブラシ。
【発明の詳細な説明】
【技術分野】
【０００１】
本発明は、バリ取り機に取り付けて金属類の研削加工を行うために使用するカップブラシの改良に関するものであり、さらに詳しくは、研削面の毛先平坦性が良好で、金属類のバリやカエシの除去および角の面取りなどの研削作業を効率的に行うことができるバリ取り機用カップブラシに関するものである。
【背景技術】
【０００２】
金属類からなる部品を切削加工した場合に生ずるバリやカエシの除去および角の面取りなどの研削作業を行う機械としては、カップ型の回転ブラシ（カップブラシ）を使用したバリ取り研削機（例えば、特許文献１参照）が知られており、この種のバリ取り研削機に適用するカップブラシとしては、図２に示した構成からなるもの（例えば、特許文献２参照）が、従来から使用されてきた。
【０００３】
すなわち、図２に示した従来のカップブラシは、研磨材を含有するモノフィラント１を複数本束ねたブラシ束２の一端側端面を、接着剤３を介して金属カップ４中に配置固定してなるものである。そして、この従来のカップブラシは、まず複数本のモノフィラメント１を輪ゴムや紐で束状に固定したブラシ束２の一端側端面に接着剤３を含浸させ、この接着剤含浸部分を金属カップ４中に配置固定することにより製造されるが、接着剤３の含浸時に、接着剤３の粘度が高いことに起因してブラシ束２の形状維持が不安定となるため、ブラシ束２内のモノフィラメント１に不揃いが生じやすく、その結果ブラシ束２の非接着剤側端面のモノフィラメント１毛先の高低差が大きくなって、金属表面を均一に研削することが困難になるという問題があった。つまり、カップブラシの研削面における毛先の高低差が大きいと、過度な研削と軽度な研削を同時に生じることから、研削面の平坦度に不揃いを生じるため、さらにダイヤモンド砥石でドレス加工を行う工程を強いられることから、労力、工具および作業時間を多く必要とし、経済的に極めて非効率的であった。
【特許文献１】実開昭６０−１７８５６３号公報
【特許文献２】実公平  ３−  ５４８４７号公報
【発明の開示】
【発明が解決しようとする課題】
【０００４】
本発明は、上述した従来技術における問題点の解決を課題として検討した結果達成されたものである。
【０００５】
したがって本発明の目的は、研削面の毛先平坦性が良好で、金属類のバリやカエシの除去および角の面取りなどの研削作業を効率的に行うことができるバリ取り機用カップブラシを提供することにある。
【課題を解決するための手段】
【０００６】
上記目的を達成するために本発明によれば、バリ取り機に取り付けて金属類の研削加工を行うために使用するカップブラシであって、研磨材を含有するモノフィラントを複数本束ねたブラシ束の両側端面が平坦化されていると共に、このブラシ束の一端側端面に熱融着による固着部が形成されており、このブラシ束の固着部を、接着剤を介して金属カップ中に配置固定してなることを特徴とするバリ取り機用カップブラシが提供される。
【０００７】
なお、本発明のカップブラシにおいては、
前記ブラシ束の非固着部側端面におけるモノフィラントの高低差が１ｍｍ以下であること、および
前記ブラシ束の非固着部側端面におけるモノフィラント毛先が面取りされていること
が、いずれも好ましい条件として挙げられる。
【発明の効果】
【０００８】
本発明によれば、以下に説明するとおり、研削面の毛先平坦性が良好で、金属類のバリやカエシの除去および角の面取りなどの研削作業を効率的に行うことができるバリ取り機用カップブラシがえられる。したがって、本発明のバリ取り機用カップブラシによれば、引き続いてダイヤモンド砥石でドレス加工を行う工程を削減することができ、労力と工具の解消と共に、時間と費用の節約を図ることができ、金属類のバリやカエシの除去および角の面取りなどの研削作業性を一層改善することができる。
【発明を実施するための最良の形態】
【０００９】
以下、本発明の実施形態を図面にしたがって具体的に説明する。
【００１０】
図１は本発明のカップブラシの一例を示す断面図である。
【００１１】
図１に示したように、本発明のカップブラシ１０は、研磨材を含有するモノフィラント１１を複数本束ねたブラシ束１２の両側端面を平坦化すると共に、このブラシ束の一端側端面に熱融着による固着部１３を形成し、このブラシ束１２の固着部１３を、接着剤１４を介して金属カップ１５中に配置固定してなることを特徴とする。
【００１２】
本発明のカップブラシを構成するモノフィラメントの素材としては、ポリアミド、ポリエステル、ポリオレフィンフィン、フッ素樹脂などの熱可塑性樹脂が挙げられ、またこのモノフィラメントが含有する研磨材としては、酸化アルミナ、炭化ケイ素および人工ダイヤモンドなどが挙げられる。研磨材の含有量は、通常は５〜４０重量％程度の範囲が好ましい。
【００１３】
本発明のカップブラシ１０を製造するには、まず、研磨材を含有するモノフィラント１１を規定の長さより０．５から１．５ｍｍ長めに切断し、これらを複数本束ねて金属カップ１５の直径に合わせた太さとなるように隙間なく均一に引き揃え、輪ゴムなどで仮止めすることによりブラシ束１２を作成する。次に、仮止めしたブラシ束１２の一方の端面を定盤の面でたたき、モノフィラント１１の先端に毛先不揃いを生じないように均一に整えて揃える。さらに、ブラシ束１２の他方の端面を、モノフィラント１１の溶融温度以上に加熱した金属盤に接触させることにより、モノフィラント１１の端部同士を熱融着させた後、水で急冷することにより固着部１３を形成する。
【００１４】
この時点では、すでに固着部１３が形成されていることによって、ブラシ束１２の形状が安定に維持されるため、ブラシ束１２の一方の端面においては、各モノフィラント１１の毛先の高低差がほぼ均等になっているが、さらに必要に応じて刃物、はさみおよびサンドペーパーなどを使用することにより、毛先の高低差が高１ｍｍ以下となるように調整することも可能である。
【００１５】
また、ブラシ束１２の一方の端面における各モノフィラント１１の毛先にバリや割れなどを生じている場合には、同様に刃物、はさみおよびサンドペーパーなどを使用することにより、バリ取りや先丸加工などの面取りを施すことが望ましい。
【００１６】
次いで、エポキシ系、ウレタン系、酢酸ビニル系およびアクリル系などの接着剤１４を注入した金属カップ１５内に、上記ブラシ束１２の固着部１３を浸漬し、接着剤１４を固化させて、ブラシ束１２の固着部１３を接着剤１４を介して金属カップ１５中に配置固定することにより、本発明のカップブラシ１０が完成する。
【００１７】
かかる構成からなる本発明のカップブラシ１０においては、ブラシ束１２の研削面におけるモノフィラント毛先が、高低差１ｍｍ以下に均一に植毛されているために、本カップブラシ１０で研削後さらにダイヤモンド砥石でドレス加工を行う工程を省略することができ、労力と工具の削減および作業時間と費用の節約が図ることができ、金属類のバリやカエシの除去および角の面取りなどの研削作業を一層効率的に行うことができる。
【００１８】
また、ブラシ束１２のモノフィラメント毛先を面取りしたものを使用することにより、研削面の細かいひっかき傷が抑えられて鏡面に近い綺麗な仕上げ面が得られ、仕上げ品位の向上を図ることができる。
【産業上の利用可能性】
【００１９】
本発明のカップブラシは、研削面の毛先平坦性が良好で、金属類のバリやカエシの除去および角の面取りなどの研削作業を効率的に行うことができるため、金属類のバリやカエシの除去および角の面取りなどの研削作業にとって有効であり、金属類の研削加工業界などへの貢献度が大きい。
【図面の簡単な説明】
【００２０】
【図１】本発明のカップブラシの一例を示す断面図
【図２】従来のカップブラシの一例を示す断面図
【符号の説明】
【００２１】
１０  カップブラシ
１１  研磨材含有モノフィラント
１２  ブラシ束
１３  固着部
１４  接着剤
１５  金属カップ
【図１】
2005254398.tif 000003
【図２】
2005254398.tif 000004